(57)【要約】  【課題】メインパネルとして利用される火災受信機によって、サブパネルとして利用される火災受信機の地区窓表示部の表示を確認できるようにする。  【解決手段】複数の火災感知器が配設された感知器回線が複数接続されるとともに、該複数の感知器回線の火災状態を表示するサブ用地区窓表示部が設けられたサブパネルとして利用される複数の火災受信機と、該サブパネルとして利用される複数の火災受信機と信号線を介して接続されるとともに、該サブパネルとして利用される複数の火災受信機の火災状態を表示するメイン用地区窓表示部が設けられたメインパネルとして利用される火災受信機とを備えた火災報知システムにおいて、前記メインパネルとして利用される火災受信機は、前記メイン用地区窓表示部の表示を、指定されたサブパネルとして利用される火災受信機のサブ用地区窓表示部の表示情報を取得して切換えて表示できる。  【選択図】  図１
2006195845.tif 000002
【特許請求の範囲】
【請求項１】
複数の火災感知器が配設された感知器回線が複数接続されるとともに、該複数の感知器回線の火災状態を表示するサブ用地区窓表示部が設けられたサブパネルとして利用される複数の火災受信機と、該サブパネルとして利用される複数の火災受信機と信号線を介して接続されるとともに、該サブパネルとして利用される複数の火災受信機の火災状態を表示するメイン用地区窓表示部が設けられたメインパネルとして利用される火災受信機とを備えた火災報知システムにおいて、
前記メインパネルとして利用される火災受信機は、前記メイン用地区窓表示部の表示を、指定されたサブパネルとして利用される火災受信機のサブ用地区窓表示部の表示情報を取得して切換えて表示できることを特徴とする火災報知システム。
【請求項２】
前記メインパネルとして利用される火災受信機は、前記火災状態であるサブパネルとして利用される複数の火災受信機の番号を表示する番号表示部と、前記番号表示部に表示される前記火災状態であるサブパネルとして利用される複数の火災受信機の番号を選択的に切換える選択スイッチと、前記番号表示部に表示されている番号のサブパネルとして利用される火災受信機のサブ用地区窓表示部の表示情報を取得するサブパネル表示情報取得スイッチとを備えることを特徴とする請求項１記載の火災報知システム。
【請求項３】
前記メインパネルとして利用される火災受信機は、前記サブパネル表示情報取得スイッチがオン操作されている間のみ、前記メイン用地区窓表示部に、前記指定されたサブパネルとして利用される火災受信機のサブ用地区窓表示部の表示を行うことを特徴とする請求項１又は２記載の火災報知システム。
【発明の詳細な説明】
【技術分野】
【０００１】
本発明は、地区窓表示部を有する複数の火災受信機が接続され、１台をメインパネルとしてその他をサブパネルとして利用する火災報知システムに関するものである。
【背景技術】
【０００２】
地区窓表示部を有する火災受信機は、例えば、特開平９−９７３９０号公報（特許文献１）に開示されるように、従来より知られている。この火災受信機は、複数の火災感知器が配設された感知器回線が複数接続され、該複数の感知器回線の火災状態を地区窓表示部で表示するものであり、ある火災感知器からの火災信号が感知器回線を介して受信されると、該感知器回線に対応する地区窓の火災灯を点灯させる。
【０００３】
また、各フロア毎にサブパネルとして前記した火災受信機（以下、サブ受信機という）を配置して、これらサブ受信機から移報出力を受けるメインパネルとしての前記した火災受信機（以下、メイン受信機という）を配置して、建物全体を監視するシステムが利用されている。サブ受信機は、ある火災感知器からの火災信号が感知器回線を介して受信されると、該感知器回線に対応する地区窓の火災灯を点灯させるとともに、その火災信号受信を移報出力するいわゆる火災代表移報が行われ、必要な警報を行う。メイン受信機には、複数のサブ受信機の火災状態（火災代表移報）を表示する地区窓表示部が設けられており、メイン受信機は、前記した火災代表移報を受信して、該サブ受信機に対応する地区窓の火災灯を点灯させるとともに、必要な警報を行う。これらのメイン受信機及びサブ受信機を組み合わせて、建物全体に関する火災監視を行っている。
【０００４】
このシステムによれば、監視できる回線数が少なく小規模な建物を対象とする火災受信機であっても、複数の火災受信機を組み合わせて代表移報出力を集約することによって大規模な建物にも応用でき、また、サブ受信機及びメイン受信機の表示部構成を同様にしてシステムを構築することができ、視認性がよいという利点がある。
【特許文献１】特開平９−９７３９０号公報
【発明の開示】
【発明が解決しようとする課題】
【０００５】
建物を管理する管理人は、メイン受信機の地区窓表示部に、あるサブ受信機の火災状態（火災代表移報）が表示されると、火災地区の現場確認するため、該当するフロアのサブ受信機に赴き、地区窓表示部によって火災地区（火災信号を出力した感知器回線）を認識する。その後、火災地区の現場確認を行ってから、必要な避難誘導等の処置を行う。
【０００６】
このように、管理人は、いちいちサブ受信機まで赴かないと火災地区を認識できないため、その処置が煩雑である。つまり、必要なときに、メイン受信機によって、サブ受信機の地区窓表示部の表示を確認できれば、直接火災地区の現場に向かうことができ、建物を管理する上で合理的である。
【０００７】
本発明は、上記課題を解決するためになされたもので、メインパネルとして利用される火災受信機によって、サブパネルとして利用される火災受信機の地区窓表示部の表示を確認できるようにして、合理的に建物を管理できる火災報知システムを提供することを目的とする。
【課題を解決するための手段】
【０００８】
本発明は、複数の火災感知器が配設された感知器回線が複数接続されるとともに、該複数の感知器回線の火災状態を表示するサブ用地区窓表示部が設けられたサブパネルとして利用される複数の火災受信機と、該サブパネルとして利用される複数の火災受信機と信号線を介して接続されるとともに、該サブパネルとして利用される複数の火災受信機の火災状態を表示するメイン用地区窓表示部が設けられたメインパネルとして利用される火災受信機とを備えた火災報知システムにおいて、前記メインパネルとして利用される火災受信機は、前記メイン用地区窓表示部の表示を、指定されたサブパネルとして利用される火災受信機のサブ用地区窓表示部の表示情報を取得して切換えて表示できることを特徴とする。
【０００９】
また、前記メインパネルとして利用される火災受信機は、前記火災状態であるサブパネルとして利用される複数の火災受信機の番号を表示する番号表示部と、前記番号表示部に表示される前記火災状態であるサブパネルとして利用される複数の火災受信機の番号を選択的に切換える選択スイッチと、前記番号表示部に表示されている番号のサブパネルとして利用される火災受信機のサブ用地区窓表示部の表示情報を取得するサブパネル表示情報取得スイッチとを備えることを特徴とする。
【００１０】
また、前記メインパネルとして利用される火災受信機は、前記サブパネル表示情報取得スイッチがオン操作されている間のみ、前記メイン用地区窓表示部に、前記指定されたサブパネルとして利用される火災受信機のサブ用地区窓表示部の表示を行うことを特徴とする。
【発明の効果】
【００１１】
本発明は、複数の火災感知器が配設された感知器回線が複数接続されるとともに、該複数の感知器回線の火災状態を表示するサブ用地区窓表示部が設けられたサブパネルとして利用される複数の火災受信機と、該サブパネルとして利用される複数の火災受信機と信号線を介して接続されるとともに、該サブパネルとして利用される複数の火災受信機の火災状態を表示するメイン用地区窓表示部が設けられたメインパネルとして利用される火災受信機とを備えた火災報知システムにおいて、前記メインパネルとして利用される火災受信機は、前記メイン用地区窓表示部の表示を、指定されたサブパネルとして利用される火災受信機のサブ用地区窓表示部の表示情報を取得して切換えて表示できるので、メインパネルとして利用される火災受信機によって、サブパネルとして利用される火災受信機のサブ用地区窓表示部の表示を確認できるため、合理的に建物を管理できる。
【００１２】
なお、メインパネルとして利用される火災受信機が、通常状態では、サブパネルとして利用される複数の火災受信機の火災状態信号（火災代表移報信号）のみを収集し、操作入力などによって、あるサブパネルとして利用される火災受信機が指定されたときのみ、指定されたあるサブパネルとして利用される火災受信機のサブ用地区窓表示部の表示情報（サブパネル表示情報信号）を収集するように構成すれば、通常状態での伝送メッセージ量を少なくすることができる。
【００１３】
また、前記メインパネルとして利用される火災受信機は、前記火災状態であるサブパネルとして利用される複数の火災受信機の番号を表示する番号表示部と、前記番号表示部に表示される前記火災状態であるサブパネルとして利用される複数の火災受信機の番号を選択的に切換える選択スイッチと、前記番号表示部に表示されている番号のサブパネルとして利用される火災受信機のサブ用地区窓表示部の表示情報を取得するサブパネル表示情報取得スイッチとを備えるので、火災状態であるサブパネルとして利用される火災受信機を選択して、該選択されたサブパネルとして利用される火災受信機のサブ用地区窓表示部の表示をメイン用地区窓表示部に選択的に表示することができる。
【００１４】
また、前記メインパネルとして利用される火災受信機は、前記サブパネル表示情報取得スイッチがオン操作されている間のみ、前記メイン用地区窓表示部に、前記指定されたサブパネルとして利用される火災受信機のサブ用地区窓表示部の表示を行うので、メイン用地区窓表示部にあるサブ用地区窓表示部の表示を行った場合に、メイン用地区窓表示部の表示の戻し忘れによって、表示内容を誤識するということがなくなる。
【発明を実施するための最良の形態】
【００１５】
以下、本発明を利用する実施の形態について図面を用いて説明する。図１は本発明を利用した火災報知システム全体のシステム構成図、図２は図１に用いられているサブパネルとしての火災受信機の概略的なブロック構成図、図３は図１に用いられているメインパネルとしての火災受信機の概略的なブロック構成図、図４は図２のサブパネルとしての火災受信機の動作を示すフロー図、図５は図３のメインパネルとしての火災受信機の動作を示すフロー図である。
【００１６】
ＲｍはメインパネルとしてのＰ型火災受信機（以下、メイン受信機という）、Ｒ１〜Ｒｎ（本実施例では、Ｒ８まで）はサブパネルとしてのＰ型火災受信機（以下、サブ受信機という）、１１は火災感知器、１３は地区音響装置、２１は信号線としての伝送線、４１〜４ｎは感知器回線、５１〜５ｎは地区音響の制御線である。なお、メイン受信機Ｒｍはサブ受信機Ｒ１〜Ｒｎとの間で、伝送線２１を介して各種情報の信号伝送を行うものであり、そのため、メイン受信機Ｒｍは、伝送信号送受信機能を有している。
【００１７】
各サブ受信機Ｒ１〜Ｒｎは、建物に対して一例として各フロア毎に配置されている。また、各サブ受信機Ｒ１〜Ｒｎは、それぞれ感知器回線４１〜４ｎを複数備えており、フロアの部屋割り等に応じた必要な個数の火災感知器１１が設けられている。そして、各感知器回線４１〜４ｎも火災監視のために設定された地区割に対応して必要な回線数が配設される。
【００１８】
同様に、各サブ受信機Ｒ１〜Ｒｎは、それぞれ地区音響の制御線５１〜５ｎを複数備えており、フロア内に必要な個数の地区音響装置１３が設けられている。そして、フロア全体に警報を鳴動できるようにされている。なお、フロア内を火災監視同様に地区割して個別に音響制御することも可能である。
【００１９】
また、本実施例では採用していないが、メイン受信機Ｒｍは上記の如き各サブ受信機Ｒ１〜Ｒｎと同様のＰ型火災受信機であるので、同様に、必要な感知器回線を配設して火災感知器１１を接続することが可能であり、制御線を配設して地区音響装置１３を接続することが可能である。
【００２０】
つぎに、メイン受信機Ｒｍおよびサブ受信機Ｒ１〜Ｒｎの構成について説明するが、本実施例では、メイン受信機Ｒｍおよびサブ受信機Ｒ１〜Ｒｎに１つのＰ型火災受信機の筐体を共用している。このため、メイン受信機Ｒｍおよびサブ受信機Ｒ１〜Ｒｎにおいてほぼ共通の構成となっている。
【００２１】
図２は各サブ受信機Ｒ１〜Ｒｎを代表して、サブ受信機Ｒ１の概略的なブロック構成を示したものであり、図２において、６１は制御部、６２は火災受信回路、６３は操作部、６４は表示部、６５は音響部、６６は制御出力部、６７は送受信回路、６８は火災・異常情報記憶部である。
【００２２】
制御部６１は、図示しないマイコンやメモリ等によって構成されてサブ受信機Ｒ１全体の動作を制御するもので、火災受信回路６２等への入力の検出、表示部６４等への表示制御、制御出力部６６等への制御出力、送受信回路６７等への各種信号の送受信制御など、必要な監視、制御動作を行う。
【００２３】
火災受信回路６２は、感知器回線４１等が接続される端子間の状態によって火災信号の受信を検出する回路であって、火災感知器１１が火災検出時にＰ型の火災信号送出動作である、いわゆるスイッチング動作による略短絡の低インピーダンス状態になることを検出し、複数設けられる回線毎に火災信号を検出可能とされている。また、図示しないが、火災受信回路６２内には各感知器回線４１の断線の発生を検出するための断線検出回路が設けられており、各感知器回線４１が略無電圧状態になることによって、断線の発生を検出し、複数設けられる回線毎に断線（異常信号）を検出可能とされている。さらに、短絡を検出可能とした構成としてもよい。
【００２４】
操作部６３は、盤面に設けられる各種スイッチによってサブ受信機Ｒ１に対して操作入力が行われ、その入力を制御部６１に出力するものである。図２においては、選択スイッチＳＷ１のみが示されている。
【００２５】
音響部６５は、詳細に説明しないがブザー等の装置であり、サブ受信機Ｒ１自体から警報音を鳴動させるものである。
【００２６】
制御出力部６６は、地区音響の制御線５１等が接続される端子に制御出力を行うものであり、地区音響装置１３の警報音鳴動を制御するものである。なお、地区音響装置１３以外の防排煙機器や避難誘導のための機器のような被制御器機を接続しても、地区音響と同様に連動制御できる。
【００２７】
送受信回路６７は、伝送線２１を介して、メイン受信機Ｒｍから送信された各種要求信号等を受信して、その各種要求信号等を制御部６１に出力し、また、制御部６１から入力された各種信号（各種要求信号等に対する返送信号）をメイン受信機Ｒｍに送信するものである。
【００２８】
火災・異常情報記憶部６８は、火災受信回路６２によって検出された火災信号及び異常信号を火災情報及び故障情報として記憶するものである。また、火災情報記憶領域と異常情報記憶領域とを有し、それぞれの領域で、火災信号及び異常信号を発した感知器回線４１の回線番号を時系列的に記憶している。
【００２９】
表示部６４は、感知器回線４１の状態（火災状態及び異常状態）を表示するサブ用地区窓表示部８１とその状態の回線番号等を示す番号表示部８３（７セグ）とを有し、火災・異常情報記憶部６８の記憶情報に基づく制御部６１からの制御に基づき点灯制御するものである。
【００３０】
サブ用地区窓表示部８１は、本実施例では、２列に合計８窓形成されていて、それぞれの窓番号「１」〜「ｎ」（本実施例では、「８」まで）に対応して感知器回線４１の回線番号「１」〜「ｎ」（本実施例では、「８」まで）を割り当て、その地区名称等を明示している。そして、それぞれの回線番号「１」〜「ｎ」について火災、異常（断線）の有無を火災灯８１ａ、異常灯８１ｂの点灯によって表示できるようになっている。なお、本実施例では合計８窓形成されているが、大きい物件の場合等でも、窓を増設することで対応可能となっている。
【００３１】
番号表示部８３は、いわゆる７セグによる番号表示を２ヶ所に備え、それぞれ表示される番号は、サブ用地区窓表示部８１の窓番号に対応する数字として表示される。火災情報の表示の場合は、左側番号表示部８３ａに最初の火災発報である第１報を、右側番号表示部８３ｂには最後の火災発報である最終報を表示するようになっている。そして、操作部６３の選択スイッチＳＷ１の１回目の操作によって、左側番号表示部８３ａに第２報を表示し、さらに、２回目の操作によって、左側番号表示部８３ａに第３報を表示し、…と火災情報が存在する限り、後続が表示されていく。また、異常情報の表示の場合は、左側番号表示部８３ａにエラーコードを、右側番号表示部８３ｂには最初の異常発報である第１報を表示するようになっている。そして、操作部６３の選択スイッチＳＷ１の１回目の操作によって、右側番号表示部８３ｂには第２報を表示し、さらに、２回目の操作によって、右側番号表示部８３ｂには第３報を表示し、…と異常情報が存在する限り、後続が表示されていく。なお、火災優先の原理に基づき、火災情報及び異常情報が存在する場合は、番号表示部８３には火災情報が優先表示される。
【００３２】
つぎに、図３を用いてメイン受信機Ｒｍの構成を説明する。図３において、７１は制御部、７２は火災受信回路、７３は操作部、７４は表示部、７５は音響部、７６は制御出力部、７７は送受信回路、７８は火災・異常代表移報記憶部、７９はサブ受信機表示情報記憶部（サブパネル表示情報記憶部）である。なお、火災受信回路７２および制御出力部７６はサブ受信機Ｒ１〜Ｒｎのそれと同様の機能であるが、また、本実施例においては使用されないため、その説明を省略する。
【００３３】
制御部７１は、図示しないマイコンやメモリ等によって構成されてメイン受信機Ｒｍ全体の動作を制御するもので、火災受信回路７２等への入力の検出、表示部７４等への表示制御、制御出力部７６等への制御出力、送受信回路７７等への各種信号の送受信制御など、必要な監視、制御動作を行う。
【００３４】
操作部７３は、盤面に設けられる各種スイッチによってメイン受信機Ｒｍに対して操作入力が行われ、その入力を制御部７１に出力するものである。図３においては、選択スイッチＳＷ２、サブパネル表示情報取得スイッチとしてのサブ受信機表示情報取得スイッチＳＷ３、復旧スイッチとしてのリセットスイッチＳＷ４が示されている。なお、サブ受信機表示情報取得スイッチＳＷ３は、オン操作されているときにオン出力信号を制御部７１に出力し、制御部７１はその入力があるときにのみ、後述するメイン用地区窓表示部９１のミラー表示機能を有効とする。
【００３５】
音響部７５は、詳細に説明しないがブザー等の装置であり、メイン受信機Ｒｍ自体から警報音を鳴動させるものである。
【００３６】
送受信回路７７は、伝送線２１を介して、制御部７１から入力された各種要求信号等をサブ受信機Ｒ１〜Ｒｎに送信して、また、各種要求信号等に対して、サブ受信機Ｒ１〜Ｒｎから返送された返送信号を受信して制御部６１に出力するものである。
【００３７】
火災・異常代表移報記憶部７８は、前記各種要求信号としての状態要求信号に対してサブ受信機Ｒ１〜Ｒｎから返送された返送信号としての状態信号（火災代表移報信号、異常代表移報信号）を記憶するものであり、この記憶情報は、各サブ受信機Ｒ１〜Ｒｎの状態、つまり、火災又は異常状態であるか否かを示している。
【００３８】
サブ受信機表示情報記憶部７９は、前記各種要求信号としてのサブ受信機表示情報要求信号に対してサブ受信機Ｒ１〜Ｒｎから返送された返送信号としてのサブ受信機表示情報信号（サブ受信機Ｒ１〜Ｒｎの火災・異常情報記憶部６８の記憶情報）を記憶するものであり、この記憶情報は、各サブ受信機Ｒ１〜Ｒｎのサブ用地区窓表示部８１等の表示内容を示す。
【００３９】
表示部７４は、通常状態では各サブ受信機Ｒ１〜Ｒｎの状態（火災状態及び異常状態）を表示するメイン用地区窓表示部９１とその状態のサブ受信機番号等を示す番号表示部９３（７セグ）とを有し、通常状態では火災・異常代表移報記憶部７８の記憶情報に基づく制御部７１からの制御に基づき点灯制御するものである。
【００４０】
メイン用地区窓表示部９１は、本実施例では、２列に合計８窓形成されていて、それぞれの窓番号「１」〜「ｎ」（本実施例では、「８」まで）に対応して各サブ受信機Ｒ１〜Ｒｎの番号「１」〜「ｎ」（本実施例では、「８」まで）を割り当て、その名称等を明示している。そして、それぞれの番号「１」〜「ｎ」について火災、異常（断線）の有無を火災灯９１ａ、異常灯９１ｂの点灯によって代表表示できるようになっている。なお、本実施例では合計８窓形成されているが、大きい物件の場合等でも、窓を増設することで対応可能となっている。
【００４１】
番号表示部９３は、いわゆる７セグによる番号表示を２ヶ所に備え、それぞれ表示される番号は、メイン用地区窓表示部９１の窓番号に対応する数字として表示される。火災代表移報の表示の場合は、左側番号表示部９３ａに最初の火災代表発報である第１報のサブ受信機の番号を、右側番号表示部９３ｂには最終報のサブ受信機の番号を表示するようになっている。そして、操作部７３の選択スイッチＳＷ２の１回目の操作によって、左側番号表示部９３ａに第２報のサブ受信機の番号を表示し、さらに、２回目の操作によって、左側番号表示部９３ａに第３報のサブ受信機の番号を表示し、…と火災代表移報が存在する限り、後続が表示されていく。また、異常代表移報の表示の場合は、左側番号表示部９３ａにエラーコードを、右側番号表示部９３ｂには最初の異常代表移報である第１報のサブ受信機の番号を表示するようになっている。そして、操作部７３の選択スイッチＳＷ２の１回目の操作によって、右側番号表示部９３ｂには第２報のサブ受信機の番号を表示し、さらに、２回目の操作によって、右側番号表示部９３ｂには第３報のサブ受信機の番号を表示し、…と異常代表移報が存在する限り、後続が表示されていく。なお、火災優先の原理に基づき、火災代表移報及び異常代表移報が存在する場合は、番号表示部９３には火災代表移報が優先表示される。
【００４２】
つぎに、上記したメイン用地区窓表示部９１のミラー表示機能について説明する。上記したように番号表示部９３に火災代表移報のあるサブ受信機の番号が表示されている状態において、選択スイッチＳＷ２の操作入力によって、左側番号表示部９３ａにいずれかのサブ受信機の番号を選択表示させて、サブ受信機表示情報取得スイッチＳＷ３の操作入力を行うと、メイン受信機Ｒｍは、選択表示されたサブ受信機に対して、サブ受信機表示情報要求信号を送信し、サブ受信機Ｒ１〜Ｒｎから返送されたサブ受信機表示情報信号（サブ受信機Ｒ１〜Ｒｎの火災・異常情報記憶部６８の記憶情報）をサブ受信機表示情報記憶部７９に記憶する。
【００４３】
そして、メイン用地区窓表示部９１は、この指定されたサブ受信機Ｒ１〜Ｒｎのサブ用地区窓表示部８１の表示内容をミラー表示、つまり、この指定されたサブ受信機Ｒ１〜Ｒｎの感知器回線４１の状態（火災状態及び異常状態）を表示するようになっている。このミラー表示は、サブ受信機表示情報取得スイッチＳＷ３の操作入力が行われている間、継続表示され、操作入力がなくなると、元の表示に戻る。
【００４４】
上記では、火災代表移報の場合のミラー表示を示したが、火災代表移報が存在しない場合は、異常代表移報のミラー表示も同様の操作で機能させることができる。
【００４５】
つぎに、上記のように構成される実施の形態の動作について、図４、図５に基づいて説明する。まず、サブ受信機Ｒ１〜Ｒｎの動作として、代表してサブ受信機Ｒ１の動作を例示する。サブ受信機Ｒ１は、火災感知器１１による火災信号が感知器回線４１を介して火災受信回路６２に入力したか否かを判断し、火災信号が入力していなければ（Ｓ１）、ステップＳ５へ進み、火災信号が入力していれば（Ｓ１）、その回線番号及び何報目かを対応させた火災情報を火災・異常情報記憶部６８の火災情報記憶領域に記憶し（Ｓ２）、火災情報に対応した火災表示を表示部６４で行う（Ｓ３）。例えば回線番号「２」であれば、地区窓表示部８１の地区窓番号「２」である地区窓の火災灯８１ａの点灯、及び番号表示部８３の左側番号表示部８３ａに番号「２」を表示させる。そして、対応した音響鳴動を行う（Ｓ４）。例えば、音響部６５から火災音響を鳴動させ、また、制御出力部６６に制御出力を行って、全ての制御線５１を介して地区音響装置１３を鳴動させる。
【００４６】
また、火災受信回路６２が感知器回線４１の断線を検出、つまり、感知器回線４１の異常信号が入力したか否かを判断し、異常信号が入力していなければ（Ｓ５）、ステップＳ９へ進み、異常信号が入力していれば（Ｓ５）、その回線番号及び何報目かを対応させた異常情報を火災・異常情報記憶部６８の異常情報記憶領域に記憶し（Ｓ６）、異常情報に対応した異常表示を表示部６４で行う（Ｓ７）。例えば回線番号「３」であれば、地区窓表示部８１の地区窓番号「３」である地区窓の異常灯８１ｂの点灯を行う。なお、本来ならば、番号表示部８３の左側番号表示部８３ａにエラーコードを表示させ、右側番号表示部８３ｂに番号「３」を表示させるが、ステップＳ３で火災表示を行っており、火災優先の原則から、番号表示部８３による異常表示を行わない。なお、このときのサブ用地区窓表示部８１の表示状態を図６（ａ）に示す（塗りつぶしは点灯状態を示し、塗りつぶしなしは消灯状態を示す）。
【００４７】
つぎに、対応した音響鳴動を行う（Ｓ８）。ここでも、本来ならば、音響部６５から異常音響を鳴動させるが、ステップＳ４で火災音響鳴動を行っており、火災優先の原則から、音響部６５からの異常音響鳴動を行わない。
【００４８】
つぎに、操作部６３の選択スイッチＳＷ１からの操作入力があるか否かを判断し、操作入力がなければ（Ｓ９）、ステップＳ１１へ進み、操作入力があれば（Ｓ９）、対応した表示処理を表示部６４の番号表示部８３で行う（Ｓ１０）。なお、本来ならば、選択スイッチＳＷ１の操作入力回数に応じて、左側番号表示部８３ａに第１報に後続する感知器回線４１の番号を切換表示させるが（火災情報の場合）、火災・異常情報記憶部６８には第１報しか記憶されていないので、切換表示は行われない。
【００４９】
そして、サブ受信機Ｒ１は、メイン受信機Ｒｍから自己アドレス宛に送信された各種要求信号等を送受信回路６７が受信したか否かを判断し、受信していなければ（Ｓ１１）、ステップＳ１へ戻り、受信していれば（Ｓ１１）、その受信信号が状態要求信号であるか否かを判断し、状態要求信号でなければ（Ｓ１２）、ステップＳ１４へ進み、状態要求信号であれば（Ｓ１２）、火災・異常情報記憶部６８の記憶情報に対応した状態信号をメイン受信機Ｒｍ宛に自己アドレスを付して送受信回路６７から送信する（Ｓ１３）。この状態信号として、火災・異常情報記憶部６８に火災情報が記憶されていれば火災代表移報信号を、異常情報が記憶されていれば異常代表移報信号を、いずれの情報も記憶されていなければ正常信号を送信する。この場合、火災・異常情報記憶部６８には火災情報及び異常情報が記憶されているため、サブ受信機Ｒ１は、火災代表移報信号及び異常代表移報信号を送信する。
【００５０】
つぎに、前記した受信信号がサブ受信機表示情報要求信号（サブパネル表示情報要求信号）であるか否かを判断し、サブ受信機表示情報要求信号でなければ（Ｓ１４）、ステップＳ１６へ進み、サブ受信機表示情報要求信号であれば（Ｓ１４）、火災・異常情報記憶部６８に記憶されている全ての火災情報及び故障情報をサブ受信機表示情報信号として、メイン受信機Ｒｍ宛に自己アドレスを付して送受信回路６７から送信する（Ｓ１５）。この場合、火災情報として第１報目の回線番号「２」を、また、異常情報として第１報目の回線番号「３」を送信する。
【００５１】
そして、その他の受信信号である場合は、その他の信号に対応した処理を行う（Ｓ１６）。例えば、音響鳴動命令信号であれば、音響部６５から火災音響を鳴動させ、また、制御出力部６６に制御出力を行って、全ての制御線５１を介して地区音響装置１３を鳴動させる。リセット命令信号であれば、音響部６５及び地区音響装置１３の音響鳴動停止、表示部６４の表示消去、火災・異常情報記憶部６８の記憶消去等のリセット動作を行う。そして、ステップＳ１へ戻る。
【００５２】
一方、図５において、メイン受信機Ｒｍは、サブ受信機番号ｎを１として（Ｓ２１）、サブ受信機Ｒ１宛に状態要求信号を送受信回路７７から送信する（Ｓ２２）。そして、サブ受信機Ｒ１からの返送信号として、状態信号を送受信回路７７が受信したか否かを判断し、受信していなければ（Ｓ２３）、ステップＳ２３に留まり、受信していれば（Ｓ２３）、その状態信号中に火災代表移報信号があるか否かを判断し、火災代表移報信号がなければ（Ｓ２４）、ステップＳ２９へ進み、火災代表移報信号があれば（Ｓ２４）、サブ受信機Ｒ１の番号「１」に対応させて火災代表移報信号を火災・異常代表移報記憶部７８に記憶し（Ｓ２５）、対応した火災表示を表示部７４で行う（Ｓ２６）。この場合、メイン用地区窓表示部９１は、サブ受信機Ｒ１の番号「１」に対応した地区窓番号「１」の火災灯９１ａを点灯させ、また、番号表示部９３は、第１報目の火災代表移報として、左側番号表示部９３ａにサブ受信機Ｒ１の番号「１」を表示させる。そして、対応した音響鳴動を行う（Ｓ２７）。例えば、音響部７５から火災音響を鳴動させる。また、建物全体の地区音響装置１３を鳴動させるため、全てのサブ受信機Ｒ１〜Ｒｎ宛に音響鳴動命令信号を送受信回路７７から送信する（Ｓ２８）。
【００５３】
さらに、状態信号中に異常代表移報信号があるか否かを判断し、異常代表移報信号がなければ（Ｓ２９）、ステップＳ３３へ進み、異常代表移報信号があれば（Ｓ２９）、サブ受信機Ｒ１の番号「１」に対応させて異常代表移報信号を火災・異常代表移報記憶部７８に記憶し（Ｓ３０）、対応した異常表示を表示部７４で行う（Ｓ３１）。この場合、メイン用地区窓表示部９１は、サブ受信機Ｒ１の番号「１」に対応した地区窓番号「１」の異常灯９１ｂを点灯させる。なお、本来ならば、番号表示部９３の左側番号表示部９３ａにエラーコードを表示させ、右側番号表示部９３ｂにサブ受信機Ｒ１の番号「１」を表示させるが、ステップＳ２６で火災表示を行っており、火災優先の原則から、番号表示部８３による異常表示を行わない。なお、このときのメイン用地区窓表示部９１の表示状態を図６（ａ）に示す（塗りつぶしは点灯状態を示し、塗りつぶしなしは消灯状態を示す）。
【００５４】
つぎに、対応した音響鳴動を行う（Ｓ３２）。ここでも、本来ならば、音響部７５から異常音響を鳴動させるが、ステップＳ２７で火災音響鳴動を行っており、火災優先の原則から、音響部７５からの異常音響鳴動を行わない。
【００５５】
つぎに、操作部７３の各種スイッチＳＷ２〜ＳＷ４からの操作入力があるか否かを判断し、操作入力があれば（Ｓ３３）、ステップＳ３６へ進むが、操作入力がなければ（Ｓ３３）、nがN（サブ受信機の最大受信機番号であり、本実施例ではN＝８）であるか否かを判断し、ｎがＮでなければ（Ｓ３４）、ｎを１つインクリメントして（Ｓ３５）、ステップＳ２２へ戻り、ｎがＮであれば（Ｓ３４）、ステップＳ２１へ戻り、サブ受信機Ｒ１〜Ｒｎの状態信号を循環的に受信する動作を行う。
【００５６】
そして、各種スイッチＳＷ２〜ＳＷ４からの操作入力があった場合（Ｓ３３）、その操作入力が選択スイッチＳＷ２の操作入力であるか否かを判断し、選択スイッチＳＷ２の操作入力でなければ（Ｓ３６）、ステップＳ３８へ進み、選択スイッチＳＷ２の操作入力であれば（Ｓ３６）、対応した表示処理を表示部７４の番号表示部９３で行う（Ｓ３７）。なお、本来ならば、選択スイッチＳＷ１の操作入力回数に応じて、左側番号表示部９３ａに第１報に後続するサブ受信機の番号を切換表示させるが（火災代表移報の場合）、火災・異常代表移報記憶部７８には第１報しか記憶されていないので、切換表示は行われない。
【００５７】
つぎに、前記した操作入力がサブ受信機表示情報取得スイッチＳＷ３の操作入力であるか否かを判断し、サブ受信機表示情報取得スイッチＳＷ３の操作入力でなければ（Ｓ３８）、そのステップＳ４６へ進み、サブ受信機表示情報取得スイッチＳＷ３の操作入力であれば（Ｓ３８）、左側番号表示部９３ａに選択表示されている番号のサブ受信機宛にサブ受信機表示情報要求信号を送受信回路７７から送信し（Ｓ３９）、この指定されたサブ受信機からの返送信号として、サブ受信機表示情報信号を送受信回路７７が受信したか否かを判断し、受信していなければ（Ｓ４０）、ステップＳ４０に留まり、受信していれば（Ｓ４０）、サブ受信機表示情報信号をサブ受信機表示情報記憶部７９に記憶し（Ｓ４１）、対応した表示処理を表示部７４で行う（Ｓ４２）。この場合、ステップＳ３９でサブ受信機Ｒ１を指定したため、サブ受信機表示情報信号は、火災情報として第１報目の回線番号「２」であり、また、異常情報として第１報目の回線番号「３」である。そして、表示としては、メイン用地区窓表示部９１では、地区窓番号「２」の火災灯９１ａの点灯、地区窓番号「３」の異常灯９１ｂの点灯を行い、番号表示部９３では、左側番号表示部９３ａに番号「２」を表示する。つまり、メイン受信機Ｒｍの表示部７４の表示内容は、サブ受信機Ｒ１の表示部６４の表示内容と同様となる。メイン用地区窓表示部９１を例に挙げて示すと、図６（ｂ）に示すように、メイン用地区窓表示部９１は、サブ受信機Ｒ１のサブ用地区窓表示部８１の表示内容と同様となる（塗りつぶしは点灯状態を示し、塗りつぶしなしは消灯状態を示す）。
【００５８】
そして、サブ受信機表示情報取得スイッチＳＷ３の操作入力が継続されているか否かを判断し、操作入力が継続されていれば（Ｓ４３）、ステップＳ４３に留まり、この表示を継続させるが、操作入力がなくなると（Ｓ４３）、サブ受信機表示情報記憶部７９の記憶情報を消去し（Ｓ４４）、表示部７４の表示を火災・異常代表移報記憶部７８の記憶情報に基づく表示に戻す（Ｓ４５）。この場合、メイン用地区窓表示部９１は、図６（ａ）に示す表示状態に戻る（塗りつぶしは点灯状態を示し、塗りつぶしなしは消灯状態を示す）。
【００５９】
つぎに、前記した操作入力がリセットスイッチＳＷ４の操作入力であるか否かを判断し、リセットスイッチＳＷ４の操作入力でなければ（Ｓ４６）、ステップＳ３４へ進み、リセットスイッチＳＷ４の操作入力であれば（Ｓ４６）、まず、自己のリセット動作、例えば、音響部７５の音響鳴動停止、表示部７４の表示消去、記憶部７８及び７９の記憶消去を行い（Ｓ４７）、つぎに、全てのサブ受信機Ｒ１〜Ｒｎにリセット動作をさせるため、全てのサブ受信機Ｒ１〜Ｒｎ宛にリセット命令信号を送受信回路７７から送信し（Ｓ４８）、ステップＳ３４へ戻る。
【００６０】
本実施例に利用される火災報知システムは、複数の火災感知器１１が配設された感知器回線４１〜４ｎが複数接続されるとともに、該複数の感知器回線４１〜４ｎの火災状態を表示するサブ用地区窓表示部８１が設けられたサブパネルとして利用される複数の火災受信機Ｒ１〜Ｒｎと、該サブパネルとして利用される複数の火災受信機Ｒ１〜Ｒｎと信号線としての伝送線２１を介して接続されるとともに、該サブパネルとして利用される複数の火災受信機Ｒ１〜Ｒｎの火災状態を表示するメイン用地区窓表示部９１が設けられたメインパネルとして利用される火災受信機Ｒｍとを備えた火災報知システムにおいて、前記メインパネルとして利用される火災受信機Ｒｍは、前記メイン用地区窓表示部９１の表示を、指定されたサブパネルとして利用される火災受信機Ｒ１〜Ｒｎのサブ用地区窓表示部８１の表示情報を取得して切換えて表示できるので、メインパネルとして利用される火災受信機Ｒｍによって、サブパネルとして利用される火災受信機Ｒ１〜Ｒｎのサブ用地区窓表示部８１の表示を確認できるため、合理的に建物を管理できる。
【００６１】
なお、メインパネルとして利用される火災受信機Ｒ１〜Ｒｎが、通常状態では、サブパネルとして利用される複数の火災受信機Ｒ１〜Ｒｎの火災状態信号（火災代表移報信号）のみを収集し、操作入力などによって、あるサブパネルとして利用される火災受信機Ｒ１〜Ｒｎが指定されたときのみ、指定されたあるサブパネルとして利用される火災受信機Ｒ１〜Ｒｎのサブ用地区窓表示部８１の表示情報（サブパネル表示情報信号）を収集するように構成すれば、通常状態での伝送メッセージ量を少なくすることができる。
【００６２】
また、前記メインパネルとして利用される火災受信機Ｒｍは、前記火災状態であるサブパネルとして利用される複数の火災受信機Ｒ１〜Ｒｎの番号を表示する番号表示部９３と、前記番号表示部９３に表示される前記火災状態であるサブパネルとして利用される複数の火災受信機Ｒ１〜Ｒｎの番号を選択的に切換える選択スイッチＳＷ２と、前記番号表示部９３に表示されている番号のサブパネルとして利用される火災受信機Ｒ１〜Ｒｎのサブ用地区窓表示部８１の表示情報を取得するサブパネル表示情報取得スイッチＳＷ３とを備えるので、火災状態であるサブパネルとして利用される火災受信機Ｒ１〜Ｒｎを選択して、該選択されたサブパネルとして利用される火災受信機Ｒ１〜Ｒｎのサブ用地区窓表示部８１の表示をメイン用地区窓表示部９１に選択的に表示することができる。
【００６３】
また、前記メインパネルとして利用される火災受信機Ｒｍは、前記サブパネル表示情報取得スイッチＳＷ３がオン操作されている間のみ、前記メイン用地区窓表示部９１に、前記指定されたサブパネルとして利用される火災受信機Ｒ１〜Ｒｎのサブ用地区窓表示部８１の表示を行うので、メイン用地区窓表示部９１にあるサブ用地区窓表示部８１の表示を行った場合に、メイン用地区窓表示部９１の表示の戻し忘れによって、表示内容を誤識するということがなくなる。
【図面の簡単な説明】
【００６４】
【図１】本発明を利用した火災報知システム全体のシステム構成図である。
【図２】図１に用いられているサブパネルとしての火災受信機の概略的なブロック構成図である。
【図３】図１に用いられているメインパネルとしての火災受信機の概略的なブロック構成図である。
【図４】図２のサブパネルとしての火災受信機の動作を示すフロー図である。
【図５】図３のメインパネルとしての火災受信機の動作を示すフロー図である。
【図６】メイン用地区窓表示部とサブ用地区窓表示部における通常表示とミラー時の表示の一例を示す図である。
【符号の説明】
【００６５】
１１  火災感知器
４１  感知器回線
Ｒ１〜Ｒｎ  サブ受信機（サブパネル）
Ｒｍ  メイン受信機（メインパネル）
８１  サブ用地区窓表示部
６８  火災・異常情報記憶部
９１  メイン用地区窓表示部
９３  番号表示部
ＳＷ２  選択スイッチ
ＳＷ３  サブ受信機表示情報取得スイッチ（サブパネル表示情報取得スイッチ）
７８  火災・異常代表移報記憶部
７９  サブ受信機表示情報記憶部（サブパネル表示情報記憶部）
【図１】
2006195845.tif 000003
【図２】
2006195845.tif 000004
【図３】
2006195845.tif 000005
【図４】
2006195845.tif 000006
【図５】
2006195845.tif 000007
【図６】
2006195845.tif 000008